(57)【要約】【課題】簡易造水装置を、その造水能力および利便性の低下を招くことなく、できるだけコンパクトにパッケージ化できるようにする。【解決手段】原水Ｗの流路Ｌの一部をなすと共に通過する原水Ｗの濾過をなす濾過ユニット１と、前記流路Ｌに原水Ｗを送り込むための送水ポンプ２と、濾過ユニット１を経て生成された生活用水Ｗ’を蓄える貯水槽３と、送水ポンプ２に電力を供給する発電手段４と、これらを載せるパレット体５とを備えている。貯水槽３は折り畳み可能な袋状体により構成され、パレット体５は第一パレット５０と第二パレット５１から構成されていると共に、第一パレット５０上に貯水槽３が搭載され、かつ、第二パレット５１上に濾過ユニット１、送水ポンプ２及び発電手段４が載置されるようになっている。第一パレット５０の内部に折り畳まれた貯水槽３の収納部が形成してある。【選択図】図５
2011031211.tif 000002
【特許請求の範囲】
【請求項１】
原水から生活用水を生成する造水装置であって、
原水の流路の一部をなすと共に通過する原水の濾過をなす濾過ユニットと、
前記流路に原水を送り込むための送水ポンプと、
前記濾過ユニットを経て生成された生活用水を蓄える貯水槽と、
送水ポンプに電力を供給する発電手段と、
これらを載せるパレット体とを少なくとも備えており、
前記貯水槽は折り畳み可能な袋状体により構成され、
前記パレット体は第一パレットと第二パレットから構成されていると共に、第一パレット上に貯水槽が搭載され、かつ、第二パレット上に濾過ユニット、送水ポンプ及び発電手段が載置されるようになっており、
しかも、第一パレット又は第二パレットの内部に折り畳まれた貯水槽の収納部が形成してあることを特徴とする簡易造水装置。
【請求項２】
第一パレットの一辺部と第二パレットの一辺部とがヒンジ部を介して接合されており、このヒンジ部を中心に第二パレットの載置面に対し第一パレットの搭載面が略直交する起立位置まで第一パッレットの回動が可能となっていることを特徴とする請求項１に記載の簡易造水装置。
【請求項３】
起立位置にある第一パレットの姿勢保持手段を備えていることを特徴とする請求項２に記載の簡易造水装置。
【発明の詳細な説明】
【技術分野】
【０００１】
この発明は、一般河川の水や、その他の水源の水を原水として、この原水から飲み水などとなる生活用水を生成する造水装置の改良に関する。
【背景技術】
【０００２】
水道による給水ができない状況が生じたときに、あるいはまた、水源はあるが水道がない場所において、一般河川の水や、その他の水源の水を原水として、この原水から飲み水などとなる生活用水を生成する造水装置としては、従来より各種のものが利用されている。しかるに、かかる造水装置は一般に、非常時に利用されるものであり、また、これを利用する現場への保管場所からの搬送を要する場合が少なくないため、これを利用しないときはできるだけコンパクトに纏めることができることが望まれる。しかるに、かかる造水装置は、前記原水の濾過ユニットと、この濾過ユニットに原水を送り込む送水ポンプ、濾過ユニットにより濾過生成された生活用水の貯留槽を最低限の構成要素として必要とすることから、容易にはコンパクト化させ難い。自転車を利用した移動式造水機も提案されているが、（特許文献１参照）この造水機は可搬性は高い反面、非常時に自治体などで要求されるような造水能力（単位時間当たりの生活用水の生成容量）は期待し難く、また、生成された生活用水を蓄える構造を備えていない。
【先行技術文献】
【特許文献】
【０００３】
【特許文献１】特開２００８−８６９３４号公報
【発明の概要】
【発明が解決しようとする課題】
【０００４】
この発明が解決しようとする主たる問題点は、この種の簡易造水装置を、その造水能力および利便性の低下を招くことなく、できるだけコンパクトにパッケージ化できるようにする点にある。
【課題を解決するための手段】
【０００５】
前記課題を達成するために、この発明にあっては、簡易造水装置を、原水から生活用水を生成する造水装置であって、原水の流路の一部をなすと共に通過する原水の濾過をなす濾過ユニットと、前記流路に原水を送り込むための送水ポンプと、前記濾過ユニットを経て生成された生活用水を蓄える貯水槽と、送水ポンプに電力を供給する発電手段と、これらを載せるパレット体とを少なくとも備えており、
前記貯水槽は折り畳み可能な袋状体により構成され、
前記パレット体は第一パレットと第二パレットから構成されていると共に、第一パレット上に貯水槽が搭載され、かつ、第二パレット上に濾過ユニット、送水ポンプ及び発電手段が載置されるようになっており、
しかも、第一パレット又は第二パレットの内部に折り畳まれた貯水槽の収納部が形成してあるものとした。
【０００６】
かかる造水装置は、これを利用する必要がないときは、パレット体内に折り畳んだ貯水槽を納めることで保管に都合の良い大きさに纏めておくことができ、したがってまた、設置場所までの搬送も容易となる。また、貯水槽以外の構成部材は第二パレット上に載置され、かつ、貯水槽は第一パレット上に搭載されるので、展開設置状態は安定的である。
【０００７】
前記第一パレットの一辺部と第二パレットの一辺部とをヒンジ部を介して接合させ、このヒンジ部を中心に第二パレットの載置面に対し第一パレットの搭載面が略直交する起立位置まで第一パッレットの回動が可能となるようにしておくこともある。また、この場合さらに、起立位置にある第一パレットの姿勢保持手段を備えさせておくこともある。このようにした場合、第一パレットを起立位置に回動させることで、造水装置を利用する必要がないときには、その水平方向の大きさを第二パレットの載置面の広さに縮小させることができ、前記保管などに一層都合の良い態様にすることができる。また、前記姿勢保持手段により、この態様を安定的に維持させることができる。
【発明の効果】
【０００８】
この発明によれば、簡易送水装置の造水能力及び利便性の低下を招くことなく、これをできるだけコンパクトにパッケージ化することができる。
【図面の簡単な説明】
【０００９】
【図１】図１は簡易造水装置の概要構成を示した模式図である。
【図２】図２は第一パレットを展開位置に位置づけた状態における簡易造水装置の平面構成図である。
【図３】図３は第一パレットを展開位置に位置づけた状態における簡易造水装置の正面構成図である。
【図４】図４は第一パレットを起立位置に位置づけた状態における簡易造水装置の平面構成図である。
【図５】図５は第一パレットを起立位置に位置づけた状態における簡易造水装置の正面構成図である。
【図６】図６は第一パレットを起立位置に位置づけた状態における簡易造水装置の右側面構成図である。
【発明を実施するための形態】
【００１０】
以下、図１〜図６に基づいて、この発明の典型的な実施の形態について説明する。この実施の形態にかかる簡易造水装置は、水道による給水ができない状況が生じたときに、あるいはまた、水源はあるが水道がない場所において、一般河川の水や、その他の水源の水を原水Ｗとして、この原水Ｗから飲み水などとなる生活用水Ｗ’を生成するものである。かかる造水装置は、典型的には、災害時や、離島、工事現場などでの生活用水Ｗ’の確保のために利用される。かかる造水装置は、かかる原水Ｗからの生活用水Ｗ’の生成をこの装置のみをもって完結的になし得るものである。それと共に、かかる造水装置は、通常時、つまりこれを利用する必要がないときは、保管に都合の良い大きさに纏めておくことができ、したがってまた、設置場所までの搬送も容易で、さらに、設置場所においては安定的な展開設置ができるようになっている。これにより、かかる造水装置は、自治体や自治会での管理・利用に特に適している。
【００１１】
かかる造水装置は、濾過ユニット１と、送水ポンプ２と、貯水槽３と、発電手段４と、これらを載せるパレット体５とを備えている。図示の例では、かかる造水装置はさらに、逆洗手段６を備えている。
【００１２】
濾過ユニット１は、原水Ｗの流路Ｌの一部をなすと共に通過する原水Ｗの濾過をなすものである。図示の例では、流路Ｌを途中から分岐して並列に配置された二つの濾過ユニット１、１のそれぞれに原水Ｗを送り込んでその濾過をなすようにしている。各濾過ユニット１はそれぞれ筒一端を原水Ｗの流入部１ｂとし、筒他端を濾過された水、つまり、原水Ｗから生成された生活用水Ｗ’の流出部１ｃとした筒状のハウジング１ａ内に図示しないフィルタエレメント（濾材）を納めて構成されている。流入部１ｂから送り込まれた原水Ｗはかかるフィルタエレメントにより濾過され生活用水Ｗ’となる。図示の例ではかかるフィルタエレメントとして中空糸膜を束状にしたものを利用するのに適した構成となっている。図示の例では、フィルタエレメントを構成する各中空糸膜はその長さを前記ハウジング１ａの筒軸に沿わせることとなる。図示の例では、ハウジング１ａの筒両端間には脱気部１ｄが設けられており、逆洗時には前記流入部１ｂ及び流出部１ｃのいずれか一方を閉鎖させ且つ他方を開放させ開放させた他方から逆洗手段６を構成するコンプレッサー６ａからのエアを送り込むと共に、この脱気部１ｄを開放してかかるエアを排気するようになっている。なお、図１においては、かかる逆洗手段６を構成するコンプレッサー６ａとその吸気系及び配水系の流路Ｌ’を模式的に表した線分を破線で表している。また、図１中、符号Ｌ”で示すのは、造水装置に塩素注入装置を含ませて構成する場合の塩素の注入流路である。
【００１３】
送水ポンプ２により前記流路Ｌの取水端Ｌａからこの流路Ｌに原水Ｗが送り込まれ、濾過ユニット１での原水Ｗの濾過がなされる。かかる濾過ユニット１を経て生成された生活用水Ｗ’は貯水槽３に蓄えられる。図示の例では、並列に配置された二つの濾過ユニット１、１から送り出された生活用水Ｗ’は単一の貯水槽３に送り込まれ蓄えられるようになっている。かかる送水ポンプ２及び前記コンプレッサー６ａ及び流路Ｌを構成する各弁は発電手段４から供給される電力により稼働される。かかる発電手段４としてはガソリン発電機などを用いることができる。各図中、符号７で示されるのは発電手段４、送水ポンプ２、コンプレッサー６ａ、各弁の制御をなす制御盤である。
【００１４】
パレット体５は、略同じ大きさの第一パレット５０と第二パレット５１から構成されている。図示の例では、第一パレット５０及び第二パレット５１はいずれも、平面視の状態で正方形状をなすように構成されている。そして、第一パレット５０上に貯水槽３が搭載され、かつ、第二パレット５１上に濾過ユニット１、送水ポンプ２、発電手段４及び逆洗手段６がが載置されるようになっている。図２〜図６中、符号９で示されるのは前記流路Ｌ、Ｌ’を構成する配管の主要部の配設位置である。
【００１５】
図示の例では、各パレット５０、５１共に、天板５２と底板５３とを、両者の間に間隔を形成させるように、縦板を介して連接させている。また、第一パレット５０の一辺部５０ａと第二パレット５１の一辺部５１ａとがヒンジ部５４を介して接合されており、このヒンジ部５４を中心に第二パレット５１の載置面（前記天板５２の外面）と第一パレット５０の搭載面（前記天板５２の外面）とを略同面上に位置させた展開状態（図２、図３）から、第二パレット５１の載置面に対し第一パレット５０の搭載面が略直交する起立位置（図４〜図６）まで第一パレット５０の回動が可能となっている。図示の例では、第一パレット５０の一辺部５０ａの両端隅部にそれぞれ、プレート一端側をこの一辺部から側方に突き出させるようにヒンジプレート５４ａが備え付けられていると共に、一対のヒンジプレート５４ａ、５４ａ間に第二パレット５１の一辺部５１ａが納められ、かつ、このヒンジプレート５４ａのプレート一端部と第二パレット５１の一辺部５１ａの隣接する隅部とがヒンジ軸５４ｂにより回動可能に組み合わされている。
【００１６】
また、この実施の形態にあっては、第二パレット５１に前記起立位置にある第一パレット５０の姿勢保持手段８が備えられている。図示の例では、かかる姿勢保持手段８は、第二パレット５１の一辺部５１ａにおいてその両端において前記天板５２からこの天板５２に直交する向きに突き出す鉛直片８ａと、この鉛直片８ａと起立位置にある第一パレット５０の天板５２とをボルト止めするボルト及びナットとから構成されている。
【００１７】
一方、前記貯水槽３は、第一パレット５０の搭載面内に納まる底面３ａとこれに対向する天面３ｂと両面間に亘る周回側面３ｃとを備えた袋状体として構成されている。かかる貯水槽３の下部にはその内部に蓄えられた生活用水Ｗ’の供給部となる水栓３ｄが備えられている。かかる貯水槽３は、水を漏らさないように構成されたシート、典型的には、合成樹脂製のシートから構成されており、底面３ａを第一パレット５０の搭載面に接しさせてこの第一パレット５０上に立ち広げられて搭載された使用状態から折り畳み可能となっている。かかる貯水槽３は典型的には図示しない支柱により使用状態の形を保持される。
【００１８】
そして、この実施の形態にあっては、折り畳んだ貯水槽３を、第一パレット５０又は第二パレット５１の内部、図示の例では第一パレット５０の内部に形成された収納部５１ｂに収納できるようにしてある。（図４〜図６）すなわち、図示の例では、第一パレット５０を構成する天板５２と底板５３との間の間隔内に折り畳んだ貯水槽３を収納できるようになっている。
【００１９】
これにより、かかる造水装置は、これを利用する必要がないときは、パレット体５内に折り畳んだ貯水槽３を納めることで保管に都合の良い大きさに纏めておくことができ、したがってまた、設置場所までの搬送も容易となる。また、貯水槽３以外の構成部材は第二パレット５１上に載置され、かつ、貯水槽３は第一パレット５０上に搭載されるので、展開設置状態は安定的である。
【００２０】
特に、この実施の形態にあっては、第一パレット５０を起立位置に回動させることで、造水装置を利用する必要がないときには、その水平方向の大きさを第二パレット５１の載置面の広さに縮小させることができ、前記保管などに一層都合の良い態様にすることができる。また、前記姿勢保持手段８により、この態様を安定的に維持させることができる。
【００２１】
第一パレット５０内に貯水槽３を折り畳んで納め、かつ、この第一パレット５０を起立位置に位置づけさせた状態から、前記姿勢保持手段８のボルト止めを解いて第一パレット５０を第二パレット５１の側方に伏倒回動させることで、この第一パレット５０上に貯水槽３を搭載させた造水装置の利用可能状態を容易に作り出すことができる。
【符号の説明】
【００２２】
Ｗ  原水
Ｗ’  生活用水
Ｌ  流路
１  濾過ユニット
２  送水ポンプ
３  貯水槽
４  発電手段
５  パレット体
５０  第一パレット
５１  第二パレット
【図１】
2011031211.tif 000003
【図２】
2011031211.tif 000004
【図３】
2011031211.tif 000005
【図４】
2011031211.tif 000006
【図５】
2011031211.tif 000007
【図６】
2011031211.tif 000008